(57)【要約】【課題】  開口部を覆うメッシュ構造の天蓋部に、落下、付着した落葉等が長期間堆積し難い雨樋落葉除けを提供する。【解決手段】  本発明の雨樋落葉除けでは、開口部１を上方に向けて設置される雨樋２の、開口部１を覆うメッシュ構造３の天蓋部４を有する雨樋落葉除けにおいて、メッシュ構造３を形成する各線条５の表側面６に複数の突起部７を備えているので、落葉等が、選択的にかかる突起部７と接触し、落葉等と本発明の雨樋落葉除けとの接触面積が充分小さくなるため、落下した落葉等が付着し難く、付着した落葉等が風等により脱離し易くなる。その結果、落下、付着した落葉等が長期間堆積することを回避し得ることとなる。【選択図】図１
2006009383.tif 000002
【特許請求の範囲】
【請求項１】
開口部を上方に向けて設置される雨樋の、前記開口部を覆うメッシュ構造の天蓋部を有する雨樋落葉除けにおいて、前記メッシュ構造を形成する各線条の表側面に複数の突起部を備えることを特徴とする雨樋落葉除け。
【請求項２】
前記突起部の先端部近傍が、滑らかな凸状曲面よりなることを特徴とする請求項１記載の雨樋落葉除け。
【請求項３】
前記メッシュ構造を形成する各線条の交差部位において、前記各線条が相互に段差をもって交差していることを特徴とする請求項１または請求項２記載の雨樋落葉除け。
【発明の詳細な説明】
【技術分野】
【０００１】
本発明は、雨樋の上方開口部を覆う雨樋落葉除けに関するものである。
【背景技術】
【０００２】
従来、雨樋の上方開口部を覆う雨樋落葉除けとしては、種々のものが知られているが、例えば、実開昭５８−６０７１７号公報等に開示するように雨樋２の開口部１を覆うメッシュ構造３の天蓋部４（図３では、雨樋ごみよけ網４ｂ）を有するものが例示可能である（図３参照）。ここで、図３は、従来例に係る雨樋落葉除けの構成の概略を模式的に示すもので、（ａ）は、雨樋ごみよけ網４ｂの斜視図、（ｂ）は、使用状態説明図である。
【０００３】
一般に、かかる雨樋落葉除けにおいては、メッシュ構造３の天蓋部４の上に落葉、瓦の破片等の大型ゴミが落下した後、これら落葉等が天蓋部４のメッシュ構造３を覆ってしまい、そのまま長期間にわたり堆積したままとなることも多く、美観を損ねるのみならず、雨水を集めるという雨樋の本来的機能の障害ともなり得るものであった。
【特許文献１】実開昭５８−６０７１７号公報
【発明の開示】
【発明が解決しようとする課題】
【０００４】
本発明は、上記背景技術に鑑みて発明されたものであり、その課題は、落下、付着した落葉等が長期間堆積し難い雨樋落葉除けを提供することである。
【課題を解決するための手段】
【０００５】
上記課題を解決するために、請求項１に係る発明の雨樋落葉除けにあっては、開口部を上方に向けて設置される雨樋の、前記開口部を覆うメッシュ構造の天蓋部を有する雨樋落葉除けにおいて、前記メッシュ構造を形成する各線条の表側面に複数の突起部を備えることを特徴とするものである。
【０００６】
請求項２に係る発明の雨樋落葉除けにあっては、請求項１記載の雨樋落葉除けにおいて、前記突起部の先端部近傍が、滑らかな凸状曲面よりなることを特徴とするものである。
【０００７】
請求項３に係る発明の雨樋落葉除けにあっては、請求項１または請求項２記載の雨樋落葉除けにおいて、前記メッシュ構造を形成する各線条の交差部位において、前記各線条が相互に段差をもって交差していることを特徴とするものである。
【発明の効果】
【０００８】
本発明の雨樋落葉除けでは、開口部を上方に向けて設置される雨樋の、前記開口部を覆うメッシュ構造の天蓋部を有する雨樋落葉除けにおいて、前記メッシュ構造を形成する各線条の表側面に複数の突起部を備えているので、落葉等が、選択的にかかる突起部と接触し、落葉等と当該雨樋落葉除けとの接触面積が充分小さくなるため、落下した落葉等が付着し難く、付着した落葉等が風等により脱離し易くなるというものである。
【発明を実施するための最良の形態】
【０００９】
以下、本発明の実施形態を図面に基づき説明する。なお、本発明の雨樋落葉除けは、下記の実施形態にのみ限定されるものではなく、本発明の要旨を逸脱しない範囲内において種々変更を加え得ることは勿論である。ここで、図１は、本発明の一実施形態である雨樋落葉除けＡの構成の概略を模式的に示すもので、（ａ）は、斜視図、（ｂ）は、（ａ）におけるメッシュ構造３ａを形成する各線条５の交差部位Ｓの部分を拡大した斜視図である。一方、図２は、本発明の図１と異なる実施形態である雨樋落葉除けＡ−１における各線条５の交差部位Ｓの部分の概略を模式的に示す斜視図である。
【００１０】
すなわち、本実施形態の雨樋落葉除けＡは、図１に示すように、開口部１を上方に向けて設置される雨樋２の、開口部１を覆うメッシュ構造３（ここでは、メッシュ構造３ａ）の天蓋部４（ここでは、メッシュ構造３ａを有する網目体４ａ）を有する雨樋落葉除けにおいて、前記メッシュ構造３（３ａ）を形成する各線条５（さらに具体的には、経線５ａ及び緯線５ｂ）の表側面６（さらに具体的には、経線５ａの表側面６ａ及び緯線５ｂの表側面６ｂ）に複数の突起部７を備えるものである。この結果、落葉等が、選択的にかかる突起部７と接触し、落葉等と雨樋落葉除けとの接触面積が充分小さいため、落下した落葉等が付着し難く、付着した落葉等が風等により脱離し易くなることとなる。
【００１１】
さらに、本実施形態においては、図１（ｂ）に示すように、突起部７の先端部近傍が、滑らかな凸状曲面８よりなるので、これに触れた人が、怪我をすることなく、安全に使用し得ることとなる。
【００１２】
また、本実施形態の雨樋落葉除けＡにあっては、図１（ｂ）に示すように、メッシュ構造３（３ａ）を形成する各線条５の交差部位Ｓにおいて、各線条５が相互に段差をもって交差している。この結果、落葉等が、メッシュ構造３（３ａ）と接触する際、落葉等と雨樋落葉除けＡとの接触面積をさらに小さくなり、落下した落葉等が付着し難く、付着した落葉等が風等により脱離し易くなることとなる。なお、本実施形態においては、図１（ｂ）に示すように緯線５ｂを経線５ａの上側に配置する構成としたが、これを図２に示すように、経線５ａを緯線５ｂの上側に配置する構成としてもよく、特に限定されない。
【００１３】
一方、メッシュ構造３（３ａ）の材質としては、特に好適には、例えば高密度ポリエチレン樹脂等の樹脂材料で形成できるが、ステンレス鋼等の金属材料等でも形成可能であり、適度な弾性と靭性を備え、且つ、充分な力学的強度を有し、耐候性、耐食性、耐久性等に優れた素材であればこれらに限定されず、上記課題解決に寄与する限りにおいて何ら制約のないことはいうまでもない。
【００１４】
以上のように、本発明の雨樋落葉除けでは、開口部１を上方に向けて設置される雨樋２の、開口部１を覆うメッシュ構造３の天蓋部４を有する雨樋落葉除けにおいて、メッシュ構造３を形成する各線条５の表側面６に複数の突起部７を備えているので、落葉等が、選択的にかかる突起部７と接触し、落葉等と当該雨樋落葉除けとの接触面積が充分小さくなるため、落下した落葉等が付着し難く、付着した落葉等が風等により脱離し易くなる。その結果、落下、付着した落葉等が長期間堆積することを回避し得ることとなるというものである。
【図面の簡単な説明】
【００１５】
【図１】本発明の一実施形態である雨樋落葉除けの構成の概略を模式的に示すもので、（ａ）は、斜視図、（ｂ）は、（ａ）におけるメッシュ構造を形成する各線条の交差部位の部分を拡大した斜視図である。
【図２】本発明の図１と異なる実施形態である雨樋落葉除けにおける各線条の交差部位の部分の概略を模式的に示す斜視図である。
【図３】従来例に係る雨樋落葉除けの構成の概略を模式的に示すもので、（ａ）は、雨樋ごみよけ網の斜視図、（ｂ）は、使用状態説明図である。
【符号の説明】
【００１６】
１    開口部（雨樋２）
２    雨樋
３    メッシュ構造
３ａ  メッシュ構造
４    天蓋部
４ａ  網目体
４ｂ  雨樋ごみよけ網（従来例）
５    線条
５ａ  経線
５ｂ  緯線
６    表側面（線条５）
６ａ  表側面（経線５ａ）
６ｂ  表側面（緯線５ｂ）
７    突起部（表側面６）
８    凸状曲面（突起部７）
９    雨樋取付金具
Ａ      雨樋落葉除け
Ａ−１  雨樋落葉除け
Ｓ      交差部位（線条５）
【図１】
2006009383.tif 000003
【図２】
2006009383.tif 000004
【図３】
2006009383.tif 000005